(57)【要約】【課題】光ケーブルシール部に悪影響を与えずにスリーブ開閉作業ができ、スリーブ内のスロットロッド下側の線番確認作業も簡単にでき、配線工事での取扱の簡便化と、光ケーブルの配線接続作業や収容用品の取付作業の作業性を大幅に向上することを図る。【解決手段】光ケーブル心線収容用品４の周囲を覆う筒状スリーブ１０が、上下方向に水平面で分割しうる上スリーブ１１と、中間スリーブ１２と、下スリーブ１３との３分割からなり、各スリーブ１１，１２，１３の突き合わせ接合面にガスケット９を設けると共に、前記中間スリーブ１２の両端に主光ケーブル挿通孔６１  と複数の分岐光ケーブル挿通孔６２  とを備え、該光ケーブル挿通孔６に対設して光ケーブル把持具８とテンションメンバ固定具８１  とを設け、さらに中間スリーブ１２内に前記光ケーブル心線収容用品４を取付支持する取付具１４を装備した。【選択図】図１
2010169969.tif 000002
【特許請求の範囲】
【請求項１】
光ケーブル心線を導入する光ケーブル心線導入口と、該光ケーブル心線導入口から導入する光ケーブルの心線余長を巻回して収納する心線余長収納部と、該心線余長収納部に連通して形成される心線接続部収納部とを備えた光ケーブル心線収納ケースからなる光ケーブル心線収容用品の周囲を覆うスリーブが、上下方向に水平面で分割しうる突き合わせ接合面を備えていて、該接合面を固定用バックルにより連結一体化される筒状スリーブであって、該筒状スリーブの両端に光ケーブルを挿通する複数の光ケーブル挿通孔と、該光ケーブル挿通孔に対設され、かつ光ケーブルを嵌挿把持する挿通部のある光ケーブル把持具とを備えた光ケーブル接続用クロージャにおいて、
前記筒状スリーブが、上下方向に水平面で分割しうる上スリーブと、中間スリーブと、下スリーブとの３分割のスリーブからなり、各スリーブの突き合わせ接合面にガスケットを設けると共に、前記中間スリーブの両端に主光ケーブル挿通孔と複数の分岐光ケーブル挿通孔とを備え、該光ケーブル挿通孔に対設して光ケーブル把持具とテンションメンバ固定具とを設け、さらに中間スリーブ内に光ケーブル心線収容用品を取付支持する取付具を装備したことを特徴とする光ケーブル接続用クロージャ。
【請求項２】
請求項１に記載の光ケーブル接続用クロージャにおいて、前記光ケーブル心線収容用品が、つまみ片或いは軸受穴のある取付片を有する光ケーブル心線収納ケースに、光ケーブル心線導入口と、光ケーブルの心線各端部が互いに接続される光ケーブル心線接続部を収納する心線接続部収納部と、光ケーブルの心線を巻回または弛ませて収容する光ケーブル心線余長収納部とを片面或いは両面に形成し、該収納部を覆う蓋片および心線押え片をそれぞれ開閉自在に備えた構造の光ケーブル心線収納ケースを複数配備したものからなることを特徴とする光ケーブル接続用クロージャ。
【請求項３】
請求項１または請求項２に記載の光ケーブル接続用クロージャにおいて、前記中間スリーブの両端に形成される端面板にある前記光ケーブル挿通孔に嵌合する２分割構造のポートケースを保持片によって着脱自在に装着し、該ポートケースにスリットのあるシールゴムと、突き合わせ分離面のあるゴム状弾性体からなる合せ目シールとを装着すると共に、該シールゴムと合せ目シールとをケーブル軸心方向に圧接支持するシールキャップを締付片によって着脱自在に装着配備したものからなることを特徴とする光ケーブル接続用クロージャ。
【請求項４】
請求項３に記載の光ケーブル接続用クロージャにおいて、前記ポートケースが中央縦方向に分割面を有する２分割構造の外筒壁で筒状ポケットを形成してヒンジ部で着脱自在に連結され、該筒状ポケットに内装されるシールゴムと合せ目シールとをケーブル軸心方向に圧接支持する内筒を備えた前記シールキャップによって、シールゴムを軸長手方向に軸圧縮することを特徴とする光ケーブル接続用クロージャ。
【請求項５】
請求項３または請求項４に記載の光ケーブル接続用クロージャにおいて、前記光ケーブル挿通孔に対設された光ケーブル把持具が、光ケーブルの外周に圧接される円弧状の内接面のある弾性部材のある把持片が一対対向して支軸を中心に開閉自在に連結され、両把持片の自由端を接離自在に連結する締付子を備えて、光ケーブル径が異なった際のケーブル中心のズレをなくす構成としたことを特徴とする光ケーブル接続用クロージャ。
【請求項６】
請求項１または請求項２に記載の光ケーブル接続用クロージャにおいて、前記中間スリーブが、光ケーブル挿通孔を横並びに配備したものであって、主光ケーブル挿通孔の片側或いは両側に分岐光ケーブル挿通孔を間隔を置いて配備し、前記光ケーブル挿通孔に主光ケーブルをシールスペーサを介して着脱自在のキャツプで装着したことを特徴とする光ケーブル接続用クロージャ。
【請求項７】
請求項６に記載の光ケーブル接続用クロージャにおいて、前記中間スリーブが、左右の各光ケーブル把持具のアースの導通を確保するアース連結板を備え、該アース連結板の接触部にバネ機能部を有する光ケーブル把持具を挿入してバネ機能部を光ケーブル把持具の凹溝に係止して抜け止め構造としたことを特徴とする光ケーブル接続用クロージャ。  
【請求項８】
請求項５、請求項６または請求項７に記載の光ケーブル接続用クロージャにおいて、前記中間スリーブが、上下スリーブ開口端縁近傍に間隔を開けてそれぞれ設けたアーム受部にバックルアームを揺動自在に設け、該バックルアームの一端にバックルレバーを有するバックルを備え、該バックルによって、バックルレバーの作用点を中間スリーブの上下面に被せた上スリーブと下スリーブとに形成した係止部に係脱して上スリーブと下スリーブとを中間スリーブに連結・開放が自在に行えるように構成したことを特徴とする光ケーブル接続用クロージャ。
【請求項９】
請求項８に記載の光ケーブル接続用クロージャにおいて、前記光ケーブル心線収容用品を取付支持する取付具が、前記光ケーブル心線収納ケースを設置する取付け用バーと、該バーに摺動自在に装備したストッパとからなり光ケーブル心線収納ケースの収容枚数に応じてストッパをスライドして整列保持させる構成としたことを特徴とする光ケーブル接続用クロージャ。
【発明の詳細な説明】
【技術分野】
【０００１】
本発明は、建物などの屋外に配線される通信回線用の光ファイバケーブル（以下光ケーブルという）の相互の接続或いは分岐するための光ケーブル接続用クロージャで、光通信用の地下ケーブル接続などの処理を安全で容易に行うことができ、光ケーブル接続作業の作業性を大幅に簡便化できる光ケーブル接続用クロージャに関するものである。
【背景技術】
【０００２】
一般に、光ケーブルの分岐、引き込み、接続などを行う場合、クロージャ内において光ケーブル心線相互を接続する共に、該心線接続部と光ケーブルの心線余長部分とを収納するための心線余長収納トレイを備えたクロージャが知られている。このクロージャでは、主光ケーブルから引き出された光ファイバ心線同士或いは分岐用光ケーブルから引き出された心線とを接続するコネクタなどの心線接続部が収納され、さらに接続された心線の余長部分を巻回して保護する心線余長収納部とを備えたものとして用いられている。（特開２００３−１７２８２７号）
【０００３】
特許文献１の光ケーブル接続用クロージャは、光ケーブルを引き込み接続を行なう心線接続部と心線余長部分とを収納するための心線余長収納トレイと、光ケーブル心線接続部の両側で光ケーブルを貫通して取り付けられた端面板と、前記心線余長収納トレイを被せて収納する縦割りで二分割しうる筒状スリーブとからなり、両端面板間に装架したスリーブの分割突き合わせ部分をボルト或いはバンドなどの固定手段によって連結し一体化して、光ケーブル接続部を気密に保護するものであった。
【先行技術文献】
【特許文献】
【０００４】
【特許文献１】特開２００３−１７２８２７号公報
【発明の概要】
【発明が解決しようとする課題】
【０００５】
ところが、光ケーブルを用いた通信網では、光アクセス網の最適な配線形態とすることや接続配線の作業性の良いこと、更には光アクセスサービスを迅速かつ、安価に提供することが要請されているし、光通信機器の設置に際して配線ケーブルは光通信の特性、特に光ケーブルの信号伝送特性を十分に満足させることが配慮されなければならない。    
しかし、従来での光ケーブル接続部を保護する収容体のクロージヤでは、光ケーブルの心線分岐、引込、接続等を行う場合に、光ケーブルシール部に影響を与えずにスリーブ開閉作業ができないことが多く、心線相互をコネクタ等で接続し、この接続心線の余長をループ状に巻いて心線収納トレイ内に接続部とともに収納して収納トレイを元に戻すと、心線余長が弛みやすく、光ケーブルの伝送特性に悪影響を与えるし、心線収納トレイに収納した光ケーブル心線の余長状況をも確認できなくなる不便があり、さらに心線分岐、引込、接続等の作業にクロージャの上側を開けてもクロージャ内の下側の部分点検やその他の作業ができないし、地下配線工事での取扱が煩雑となっているほか、万一クロージャ内に浸水した際での排水作業が容易ではなく、全組立工程も手数が掛かり問題となっている。  また、スリーブは変形防止の剛性を保ち、湿気の侵入を阻止しなければならないために、スリーブの各構成部分は互いに密に結合され、かつケーブル端との間の結合も密でなければならないし端面板から導出されるケーブルのセット取扱いが煩雑であり、ケーブルの固定化を十分満足させるためには気密材を設けたクロージャは製作煩雑で高価となり経費もかかるし耐久性の面でも不経済であって、しかも端面板を用いても気密確保のために締め付け力の管理や組立作業が面倒となる等問題が多かった。
【０００６】
本発明では、これら従来の欠点を排除しようとするもので、光ケーブルシール部に悪影響を与えずにスリーブ開閉作業ができ、地下配線工事での取扱が著しく簡便になり、光アクセスサービスを迅速かつ、安価に提供できるし、下スリーブを取り外すことによりスリーブ内のスロットロッド下側の線番確認作業も簡単にでき、光ケーブルの配線接続作業や収容用品の取付作業もすこぶる容易にし、さらに万一クロージャ内に浸水した際での排水作業も容易に行えて、また全組立工程でもシール材レス化も可能であり、光ケーブルの許容最小曲率を維持して光通信の特性をも十分満足でき、心線収納作業の作業性を大幅に向上し、配線工事での工数も少なく光ケーブル固定もでき、地下ケーブルなどの接続配線取扱いも著しく簡便化でき、配線工事の適正化にも役立って、また通信線接続不良が生じないように接続維持でき配線管理の安全性を高められ、点検・識別・組立作業での信頼性のある光ケーブル接続用クロージャを低コストで提供することを目的としている。
【課題を解決するための手段】
【０００７】
上述の課題を解決するために本発明は、光ケーブル心線を導入する光ケーブル心線導入口と、該光ケーブル心線導入口から導入する光ケーブルの心線余長を巻回して収納する心線余長収納部と、該心線余長収納部に連通して形成される心線接続部収納部とを備えた光ケーブル心線収納ケースからなる光ケーブル心線収容用品の周囲を覆うスリーブが、上下方向に水平面で分割しうる突き合わせ接合面を備えていて、該接合面を固定用バックルにより連結一体化される筒状スリーブであって、該筒状スリーブの両端に光ケーブルを挿通する複数の光ケーブル挿通孔と、該光ケーブル挿通孔に対設され、かつ光ケーブルを嵌挿把持する挿通部のある光ケーブル把持具とを備えた光ケーブル接続用クロージャであって、前記筒状スリーブが、上下方向に水平面で分割しうる上スリーブと、中間スリーブと、下スリーブとの３分割のスリーブからなり、各スリーブの突き合わせ接合面にガスケットを設けると共に、前記中間スリーブの両端に主光ケーブル挿通孔と複数の分岐光ケーブル挿通孔とを備え、該光ケーブル挿通孔に対設して光ケーブル把持具とテンションメンバ固定具とを設け、さらに中間スリーブ内に光ケーブル心線収容用品を取付支持する取付具を装備したものである。
【０００８】
この発明での光ケーブル接続用クロージャは、前記光ケーブル心線収容用品が、つまみ片或いは軸受穴のある取付片を有する光ケーブル心線収納ケースに、光ケーブル心線導入口と、光ケーブルの心線各端部が互いに接続される光ケーブル心線接続部を収納する心線接続部収納部と、光ケーブル心線を巻回または弛ませて収容する光ケーブル心線余長収納部とを片面または両面に形成して該収納部を覆う蓋片および心線押え片をそれぞれ開閉自在に備えた構造の光ケーブル心線収納ケースを複数配備したものからなり、光ケーブル心線接続部の両側の光ケーブル心線余長を一括して巻回または弛ませて光ケーブル心線収納ケースに挿入収納できるので、分岐光ケーブルの整理整頓が容易にでき、保守修理など、移動や増設ごとその都度配線工事をすることが必要となっても簡単に対応処理できるし、地下ケーブルなどの接続配線取扱いも著しく簡便化でき、配線工事の適正化にも役立って処理できる。また、必要に応じてこの光ケーブル心線収容用品に浸水検知モジュールを配備して用いれば、スリーブ内に浸水した際の排水作業も簡単的確にできクロージャの安全性と管理上の信頼性を一層高めることができる。
【０００９】
さらに、本発明での光ケーブル接続用クロージャでは、前記中間スリーブが、光ケーブル挿通孔を横並びに配備したものであって、主光ケーブル挿通孔の片側或いは両側に分岐光ケーブル挿通孔を間隔を置いて単数または複数配備し、前記主光ケーブル挿通孔に主光ケーブルを適用シールを取り付けたシールスペーサを介して着脱自在のキャツプで装着したことにより、外被際から収納用品間の配線がすっきりして乱雑にならず配線を目で追いやすく確認作業も的確で誤認することもなく、点検や接続作業での取扱を安全で簡単に処理でき、光ケーブルの固定をも簡便で安全にして組立作業性を大幅に向上することができるようにする。
【００１０】
また本発明は、前記中間スリーブが、左右の各光ケーブル把持具のアースの導通を確保するアース連結板を備え、該アース連結板の接触部にバネ機能部を有する光ケーブル把持具を挿入してバネ機能部を光ケーブル把持具の凹溝に係止して抜け止め構造としたことで反対側の光ケーブル把持具との導通ができ、中間スリーブと接しアース連結板自体の抜け止めとなって組立構成の簡便化が図れるようにするのがよい。
【００１１】
さらに、本発明では前記中間スリーブが、上下スリーブ開口端縁近傍に間隔を開けてそれぞれ設けたけたアーム受部にバックルアームを揺動自在に設け、該バックルアームの一端にバックルレバーを有するバックルによってバックルレバーの作用点を中間スリーブの上下面に被せた上スリーブと下スリーブとに形成した係止部に係脱して上スリーブと下スリーブとを中間スリーブに連結・開放が自在に行えるように構成したことにより、筒状スリーブの組込みセットが容易に行え、中間スリーブ取り出して配線作業等迅速にできその取扱を簡便確実化できる構成とするのが好ましい。
【００１２】
なお、本発明の光ケーブル接続用クロージャでは、前記筒状スリーブが設備情報の読取および更新が可能のＲＦＩＤをスリーブ内に配備され、該ＲＦＩＤに対向する上スリーブ外面に刻印による目印の表示部を設けられていることで、工事対応のクロージャを素早く捜し出すことを可能にすると共に、光ケーブル心線収納ケースに心線余長が直接容易に差し込まれて整理したり、該光ケーブル心線収納ケースから引き出して開閉して心線余長の出し入れができるので、構成が簡単で、心線の取り出入れや収納ケースの引出しなどの取り扱い操作にも面倒がなく処理できるし、通信線接続不良が生じないようにコネクタ接続維持でき配線管理の安全性を高められ、組立作業での信頼性のある光ケーブル接続用クロージャとするがよい。
【発明の効果】
【００１３】
本発明は、筒状スリーブの両端に光ケーブルを挿通する複数のケーブル挿通孔と、該ケーブル挿通孔に対設され、かつ光ケーブルを嵌挿把持する挿通部のある光ケーブル把持具とを備えた光ケーブル接続用クロージャであって、前記筒状スリーブが、上下方向に水平面で分割しうる上スリーブと、中間スリーブと、下スリーブとの３分割のスリーブからなり、各スリーブの突き合わせ接合面にガスケットを設けると共に、前記中間スリーブの両端に主光ケーブル挿通孔と複数の分岐光ケーブル挿通孔とを備え、該光ケーブル挿通孔に対設して光ケーブル把持具とテンションメンバ固定具とを設け、さらに中間スリーブ内に光ケーブル心線収容用品を取付支持する取付具を装備したことにより、光ケーブルシール部に悪影響を与えずにスリーブ開閉作業ができ、地下ケーブル配線工事などでの取扱が著しく簡便になり、光アクセスサービスを迅速かつ、安価に提供できるし、下スリーブを取り外すことによりスリーブ内のスロットロッド下側の線番確認作業も簡単にでき、光ケーブルの配線接続作業や収容用品の取付作業もすこぶる容易にし、さらに万一クロージャ内に浸水した際での排水作業も容易に行えて、また全組立工程でもシール材レス化も可能であり、光ケーブルの許容最小曲率を維持して光通信の特性をも十分満足でき、心線収納作業の作業性を大幅に向上し、配線工事での工数も少なく光ケーブル固定もでき、配線工事の適正化にも役立って、また通信線接続不良が生じないように接続維持でき配線管理の安全性を高められ、点検・識別・組立作業での信頼性のある光ケーブル接続用クロージャとすることができる。
【００１４】
また、本発明では光ケーブル心線収容用品が、光ケーブル心線収納ケースで組み込まれるし、該光ケーブル心線収納ケースに、光ケーブル心線導入口と、光ケーブルの心線各端部が互いに接続される光ケーブル心線接続部を収納する心線接続部収納部と、光ケーブル心線を巻回または弛ませて収容する光ケーブル心線余長収納部とを片面或いは両面に形成して収納部を覆う蓋片および心線押え片をそれぞれ開閉自在に備えた構造の光ケーブル心線収納ケースを複数配備したものからなり、光ケーブル心線接続部の両側の光ケーブル心線余長を一括して巻回または弛ませて光ケーブル心線収納ケースに挿入収納できるので、分岐光ケーブルの整理整頓が容易にでき、配置転換や保守修理など、移動や増設ごとその都度配線工事をすることが必要となっても簡単に対応処理できるし、また、必要に応じてこの光ケーブル心線収容用品に浸水検知モジュールを配備して用いれば、スリーブ内に浸水した際の排水作業も簡単的確にできクロージャの安全性と管理上の信頼性を一層高めることができるほか、光ケーブルの接続配線に不都合が生じることなく、光通信の特性を充分満足することができ、光ファイバケーブルの許容最小曲率が維持も容易であって心線収納の作業性を良くして配線工事の作業も簡便化できると共に、しかも光ケーブルの分岐や増設ごとにも容易に対応でき、安全に利用する。
【００１５】
また、本発明では光ケーブル心線収納用品が、その構成をもコンパクトで軽量にでき、光アクセスサービスを迅速かつ、安価に提供できるし、光ケーブルの配線接続作業もすこぶる容易にし、しかも心線収納ケースをフレームから取り出して開閉して心線余長の出し入れができるので、光ケーブルの許容最小曲率を維持して心線収納ができ光通信の特性をも十分満足でき、配線工事での工数も少なく光ケーブル固定もでき、接続配線取扱いも著しく簡便化でき、配線工事の適正化にも役立って、通信線接続不良が生じないようにコネクタ接続維持できて配線管理の安全性を高められ、組立作業での信頼性のある光ケーブル接続用クロージャを低コストで提供することができる。
【００１６】
さらに、本発明は、光ケーブル心線収容用品が、クロージャ内に光ケーブル心線収納ケースを上から差し込むことで組み込みすることができるので、作業の際に上スリーブの開閉のみでするパターンが増え施工性が大幅に向上し、しかも光ケーブル心線収納ケース内に心線をループ状にして収納、取り出し或いは引出しできるので、接続状況の点検、補修、調整、作業も楽にできるし、光ケーブルの心線余長の収納が収まり良くでき心線の巻回収納にも余裕があり、しかも心線の保持も蓋片によって緩衝的に行われているので、心線に弛みが生じないし、光ファイバ心線に無理な屈曲や小円弧が発生することなく光損失をなくして伝送特性を良好に保つことができるほか、光通信を利用するときに簡単な操作でその心線端末を着脱自在に接続することができ、心線接続作業性を大幅に向上でき、取付け切替え配線工事も簡便で体裁良好で安全に行うことができ配線工事の信頼性向上にも役立つことができる。
【図面の簡単な説明】
【００１７】
【図１】本発明の第１実施例を示す光ケーブル接続用クロージャを示し、上中下スリーブを取り外した分離状態の斜視図である。
【図２】図１の例に用いられるスリーブを連結した組み立て状態を示し、（ａ）はその斜視図、（ｂ）はその拡大縦断面図である。
【図３】図１の例の光ケーブル接続用クロージャを示し、（ａ）は上スリーブを取り外した状態で内部を示す筒状スリーブの平面図、（ｂ）は光ケーブル心線収納用品を取り除いた状態での内部を示す筒状スリーブの平面図である。
【図４】図１の例で用いられる光ケーブル心線収納ケースを示し、（ａ）は展開平面図、（ｂ）はその縦断面図、（ｃ）はその組み立て状態の斜視図である。
【図５】図１の例で用いられる中間スリーブに光ケーブル実装時の状態を示し、（ａ）はポートケース設置時の中間スリーブの一部の斜視図、（ｂ）はそのポートケースを組み込み固定した中間スリーブの一部の斜視図である。
【図６】図１の例で用いられる中間スリーブにおける光ケーブル未実装時の状態を示し、（ａ）は閉塞栓の設置時の中間スリーブの一部の中間スリーブにおける斜視図、（ｂ）はその閉塞栓を組み込み固定した中間スリーブの一部の斜視図である。
【図７】図１の例で用いられるポートケースを示し、（ａ）はその正面図、（ｂ）はその側面図、（ｃ）はその側面図である。
【図８】図７の例でのポートケースを示し、（ａ）はその斜視図、（ｂ）はその底面側を表すために下側から矢視した斜視図である。
【図９】図７のポートケースの展開状態を示し、（ａ）はその平面図、（ｂ）はその正面図、（ｃ）はその側面図、（ｄ）はその拡大底面図、（ｅ）は組み立て拡大縦断面図である。
【図１０】図７のポートケースの展開状態を示し、（ａ）はその平面図、（ｂ）はその正面図、（ｃ）はその中央縦断面図である。
【図１１】図１０の例で使用されるシールキャップを示し、（ａ）はその平面図、（ｂ）はその正面図、（ｃ）はその分離状態の正面図、（ｄ）はその上部材の底面図と下部材の平面図である。
【図１２】本発明の例で用いられる光ケーブル把持部を示し、（ａ）は組み立て状態での正面図、（ｂ）はその把持片を拡大して示す斜視図である。
【図１３】本発明の例で用いられるスリーブ組立の際のバックルの作用状態を示し、（ａ）はその分離状態の一部の拡大縦断面図、（ｂ）は係合保持状態の一部の拡大縦断面図である。
【図１４】図１の例で用いられる取付具を示し、（ａ）はそのストッパの斜視図、（ｂ）はそのストッパの取り付け用のバーの斜視図、（ｃ）は他のストッパの取り付け用のバーの斜視図である。
【図１５】本発明の第２実施例を示す光ケーブル接続用クロージャを示し、上中下スリーブを取り外した分離状態の斜視図である。
【図１６】図１５の例に用いられるスリーブを連結した組み立て状態を示し、（ａ）はその斜視図、（ｂ）はその拡大縦断面図である。
【図１７】図１６の例の光ケーブル接続用クロージャを示し、（ａ）は上スリーブを取り外した状態で内部を示す筒状スリーブの平面図、（ｂ）は光ケーブル心線収納用品を取り除いた状態での内部を示す筒状スリーブの平面図である。
【図１８】本発明の第３実施例を示す光ケーブル接続用クロージャを示し、（ａ）はサイズＬ型の斜視図、（ｂ）はサイズＳ型の斜視図である。
【図１９】図１８の例で用いられる光ケーブル接続用クロージャで、（ａ）は上スリーブを取り外した状態で内部を示す筒状スリーブの一部の平面図、（ｂ）はその縦断面図である。
【図２０】図１８の例で用いられる光ケーブル心線収納ケースをを示し、（ａ）は平面図、（ｂ）はその縦断面図、（ｃ）は蓋片の展開状態の縦断面図である。
【図２１】図１８の例で用いられるサイズＳ型の光ケーブル接続用クロージャを示し、（ａ）はその縦断面図、（ｂ）はその例で用いられる光ケーブル心線収納ケースの平面図、（ｃ）はその縦断面図、（ｄ）は嵌合取付け状態を示す拡大断面図、（ｅ）はその切断側面図、（ｆ）は倒れ防止機能を持たせた光ケーブル心線収納ケースの縦断面図である。
【図２２】図１８の例に用いられる中間スリーブを示し、（ａ）は一部の平面図、（ｂ）は正面図、（ｃ）は光ケーブル把持部を取付状態を示す正面図である。
【図２３】図１８の例の光ケーブル把持部を示し、（ａ）は平面図、（ｂ）はその正面図、（ｃ）はその一部を切断した平面図、（ｄ）は光ケーブル把持部を取付状態を示す正面図、（ｅ）その組立状態正面図である。
【図２４】図１８の例で用いられる筒状スリーブを示し、（ａ）は一部の縦断面図、（ｂ）はその外側面を示す側面図である。
【図２５】本発明の実施例で用いられるテンションメンバ把持具を示し、（ａ）はその一部の作用状態の斜視図、（ｂ）はその他例の作用状態の斜視図である。
【図２６】図２１の例の他例を示す光ケーブル接続用クロージャで、（ａ）はその縦断面図、（ｂ）は中間スリーブの一部の平面図、（ｃ）はその正面図である。
【発明を実施するための形態】
【００１８】
この発明に係る光ケーブル接続用クロージャの第１実施例を図１乃至図１４の例を用いて説明すると、光ケーブル心線ａを導入する光ケーブル心線導入口１と、該光ケーブル心線導入口１から導入する光ケーブル心線ａの心線余長を巻回して収納する心線余長収納部２と、該心線余長収納部２に連通して形成される心線接続部収納部３とを備えた光ケーブル心線収納ケース４１  からなる光ケーブル心線収容用品４の周囲を覆うスリーブが、上下方向に水平面で分割しうる突き合わせ接合面を備えていて、該接合面を固定用バックル５により連結一体化される筒状スリーブ１０であって、該筒状スリーブ１０の両端に光ケーブルＡを挿通する複数の光ケーブル挿通孔６と、該光ケーブル挿通孔６に対設され、かつ光ケーブルＡを嵌挿把持する挿通部７のある光ケーブル把持具８とを備えた光ケーブル接続用クロージャであって、前記筒状スリーブ１０が、上下方向に水平面で分割しうる上スリーブ１１と、中間スリーブ１２と、下スリーブ１３との３分割のスリーブからなり、各スリーブ１１，１２，１３の突き合わせ接合面にガスケット９を設けて各接合面がガスケット９を介して高密度に当接一体化できるようにすると共に、前記中間スリーブ１２の両端に主光ケーブル挿通孔６１  と複数の分岐光ケーブル挿通孔６２  とを備え、各光ケーブル挿通孔６に対設して光ケーブル把持具８とテンションメンバ固定具８１  とを設け、さらに中間スリーブ１２内に円筒形或いは角筒形に光ケーブル心線収納ケース４１  を配列する前記光ケーブル心線収容用品４を取付支持する取付具１４を装備したものである。
【００１９】
前記筒状スリーブ１０は、プラスチック材の合成樹脂その他耐久性のある素材により成形したものであって、中間スリーブ１２の上下面に上下スリーブ１１、１３が着脱自在或いは開閉自在に備えられるが、例えば係脱自在に嵌着配備する嵌合構造或いはスライド構造によって着脱自在にしたり、バックル５或いはヒンジ部によつて開閉自在に連結する構成として、配線工事工数も少なく簡単な操作でケーブル固定が確実にできるようにするのがよく、図２に示す如く円筒形、楕円筒形、角筒形など体裁上見ばえのよい状態として用いることができるほか、保守或いはケーブル分離時に、接続手段の脱着が容易に行え配線の便宜を図ることができる。なお、上下スリーブ１１，１３は同等形態のものを用いれば製作容易で経済的で取扱も容易である。
【００２０】
本発明における光ケーブル接続用クロージャの第１実施例では、図１〜図３に示した楕円筒形の筒状スリーブ１０として、中間スリーブ１２の上下面に上下スリーブ１１、１３が着脱自在にバックル５によって連結されているが、筒状スリーブ１０内に装備される前記光ケーブル心線収容用品４は、リング状の軸杆或いは水平方向に平行して対設したスライドシールを持った取付具１４に放射状或いは並列状に嵌脱自在に差し込み取付けて搭載数最大６５枚（３２５接続部）＋浸水検知モジュールケース収納可能のものとして用いられる。
【００２１】
なお、前記筒状スリーブ１０内で用いられる前記光ケーブル心線収容用品４は、図４に示すようにつまみ片１４１  或いは軸受穴１４２  のある取付片１４３  を有する光ケーブル心線収納ケース４１  の複数枚を取付具１４に差し込み取り付けて搭載内装されて構成されるが、該光ケーブル心線収納ケース４１  に、光ケーブル心線導入口１と、光ケーブル心線を巻回または弛ませて収容する光ケーブル心線余長収納部２と、光ケーブルの心線各端部が互いに接続される光ケーブル心線接続部ｂを収納する心線接続部収納部３とを片面或いは両面に形成して収納部を覆う蓋片４２  および心線押え片４３  をそれぞれ開閉自在に備えた構造の光ケーブル心線収納ケース４１  を複数配備したものからなり、心線各端部が互いに接続される光ケーブル心線接続部ｂ、例えばスプライス或いはコネクタ即ち光ケーブルａの末端に接続されるＭＴ型コネクタなどの両側の光ケーブル心線余長を一括して巻回または弛ませて光ケーブル心線収納ケース４１  に挿入収納できる。また、必要に応じてこの光ケーブル心線収容用品４に浸水検知モジュール（図示せず）を配備して用いれば、筒状スリーブ１０内に浸水した際の排水作業も簡単的確にできクロージャの安全性と管理上の信頼性を一層高めることができる。
【００２２】
また、前記光ケーブル心線収納ケース４１  としては、長方形状の透明乃至半透明のプラスチックシートからなり、図４に示すように両側縁に折り曲げ線で蓋片４２  と心線押え片４３  とをそれぞれ開閉自在に設けて表裏両面に光ケーブル心線余長と光ケーブル心線接続部ｂを収納できる両面構造の光ケーブル心線収納ケース４１  として用いてあるが、断面四角形或いは三角形の匡型に折り曲げ倒れ防止機能を持たせるようにするのがよいが、図５の如く、プラスチックシートを折り曲げ線で二つ折りにしてポケット部を形成して光ケーブル心線余長収納部２と心線接続部収納部３とすると共に、一端縁を突き合わせ縁として開閉自在の光ケーブル心線収納ケース４１  として用いるようにしてもよい。
【００２３】
この場合、前記光ケーブル心線収納ケース４１  の上縁或いは下縁の両端につまみ片１４１  或いは軸受穴１４２  のある突片１４３  を突設し、倒れ防止機能を持たせるようにする構成のものを用いるのもよく、光ケーブル心線余長を巻回して輪取りしまたは略Ｕ字形に弛ませて収納或いは取り出しやすくしてあり、前記光ケーブル心線収納ケース４１  を光ケーブル心線収容用品４として取付具１４に挿脱する際に、前記つまみ片１４１  を摘んで光ケーブル心線収納ケース４１  を光ケーブル心線収容用品４の取付具１４から引き出しやすく或いは取り付けやすくするのがよいし、ケースを開閉して心線余長や心線接続部を直接容易に差し込んで整理したり、引き出したりできるので、光ケーブルの許容最小曲率を維持して心線収納ができ収納作業も迅速簡便にできる。
【００２４】
また、本発明の光ケーブル接続用クロージャにおいて、前記中間スリーブとしては光ケーブル実装時に際して図５及び図７に示すようにスリーブ両端に形成される端面板３０にある前記光ケーブル挿通孔６に嵌合する２分割構造のポートケース３１を保持片３７によって着脱自在に装着して用いるのがよく、該ポートケース３１は、図７〜図１１に示すように分割面３１１  を突き合わせてネジ３８によって一体に連結して用いられ、ポートケース３１内にスリット３５１  のあるシールゴム３５と、突き合わせ分離面３６１  のあるゴム状弾性体からなる合せ目シール３６とを装着すると共に、該シールゴム３５と合せ目シール３６とをケーブル軸心方向に圧接支持するシールキャップ４０を締付片４１によって着脱自在に装着配備したものとするのがよい。しかし、前記光ケーブル挿通孔６を使用しない時、即ち光ケーブル挿通孔６に光ケーブルＡを挿通しない場合の光ケーブル未実装時には、図６に示すようにポートケース３１に代えて円筒状の閉塞栓３４を光ケーブル挿通孔６に挿入して封塞状態に、保持片３７によって着脱自在に装着して圧接することでシール性を維持して用いるのがよい。
【００２５】
なお、前記ポートケース３１は、中央縦方向に突き合わせ分割面３１１  を有する２分割構造の外筒壁で筒状ポケット３２を形成して外側面に脱落防止機能のあるヒンジ部３３、例えば一対のフックと、該フックを係止する支軸を対向して外側壁に備えて着脱自在に連結され、フックを挿入係合した時きに支軸からの回動阻止作用を与えるヒンジ部３３で着脱自在に連結され、該筒状ポケット３２に内装されるシールゴム３５と合せ目シール３６とをケーブル軸心方向に圧接支持する内筒４０１  を備えた前記シールキャップ４０によって、シールゴム３５を軸長手方向に軸圧縮して光ケーブルＡとの気密保持を確実にしてシール性を高めるようにして使用するのが有効である。（図７〜図８）
【００２６】
この場合、前記筒状ポケット３２にはスリット３５１  のある中空円筒状のシールゴム３５と、突き合わせ分離面のあるゴム状弾性体からなる合せ目シール３６とを嵌装するように構成し、ポートケース３１の筒状ポケット３２に嵌挿される内筒４０１  を備えた前記シールキャップ４０によって、締付片４１、例えばボルト、ナット或いは締付ネジ等の締付片４１で軸長手方向にシールゴム３５のシール部材を軸圧縮するようになっている。（図９〜図１０）
【００２７】
さらに、前記筒状ポケット３２には内装される合せ目シール３６としては、ケーブル挿通孔６の円周に沿った半円弧状の合せ目シール３６を片側に突出した取付片３６１  によって、対向面に形成されるボスとボス穴の係止部で定着し、ポートケース３１にシールキャップ４０を締付片４１で締着した際に、合せ目シール３６を光ケーブルＡに軸心方向に圧接できシール性を強化できるようにしてある。
【００２８】
また、前記シールゴム３５としては、ＥＰＤＭゴムまたはエラストマの硬度０〜４０Ｈｓのもの例えば硬度０〜３０Ｈｓ〔針入度４０〜９０（１０‐１  mm）〕好ましくは５〜２０Ｈｓで伸び５００〜２０００好ましくは８００〜２０００％および引張強度１０〜６０ｋｇ／ｃｍ２  の加硫されたゴム組成物例えばＥＰＲ、ＥＰＤＭ，シリコーンゴム（Ｑ）、ブチルゴム（ＩＩＲ）、スチレン・ブタジェンゴム（ＳＢＳ）或いはフッソゴム（ＦＫＭ）など低硬度から構成されたものを選んで用いられる。
【００２９】
さらにまた前記シールキャツプ４０としては、一端にフランジ部４０２  を備え中央で縦方向に二分割される２分割構造の筒状壁で前記ポートケース３１に内装される内筒４０１  が形成され、対向する前記フランジ部４０２  に突設するボス４０３  とボス穴４０４  の係合部で着脱自在に定着し、さらに両フランジ部４０２  に設けた取付孔４２にボルトの締付けネジなどの締付片４１を嵌挿してポートケース３１に締め付け連結して、該締付片４１の締め付けによってポートケース３１のポケット３２内に前記内筒４０２  を嵌め込んで移動し前記シールゴム３５を軸圧縮できるようにしてある。（図１０〜図１１）
【００３０】
前記中間スリーブ１２にある端面板３０に形成された光ケーブル挿通孔６には、シールコム３５と合せ目シール３６を内装したポートケース３１を保持片３７と共に端面板３０に挿入装着して用いるが、光ケーブルＡの必要な個所にスリット３５１  を経てシールゴム３５を定着し、該シールゴム３５と合せ目シール３６とをポケット３２内に取り付けた二分割構造のポートケース３１を組付け、このポートケース３１を端面板３０の光ケーブル挿通孔６に挿入してから端面板３０に保持片３７を仮止めしたのち、該保持片３７のネジを締めて固定して取り付ければよい。次いでポートケース３１のポケット３２内に挿入しうる内筒４０１  のあるシールキャツプ４０をポートケース３１に嵌挿して組付け、シールキャツプ４０の締付片４１を締め付ければ前記シールゴム３５を軸長手方向に軸圧縮することができて光ケーブルＡのシール部分のシール性を高めるようにするのが好ましい。
【００３１】
この光ケーブル接続用クロージャにおいて、前記光ケーブル挿通孔６に対設された挿通部７のある光ケーブル把持具８としては、光ケーブルＡの外周に沿った円弧状の内接面のある係合部材４３をケーブル径に合わせて複数層選んで着脱自在に重合した把持片４４が一対対向して支軸４５を中心に開閉自在に連結され、両把持片４４の自由端を接離自在に連結する締付子４６を備えて、光ケーブル径が異なった際のケーブル中心のズレをなくす構成としたもので、取付けベース４７を介して前記中間スリーブ１２に着脱自在に装備してある。
この光ケーブル把持具８は、取付けベース４７に複数並設配備され、光ケーブル挿入孔６として配備される主光ケーブル挿入孔や分岐光ケーブル挿入孔にそれぞれ対応して前記端面板３３とテンションメンバ固定具８１  との間に介在装備され、アーム状の把持片４４を回動自在に支持する支軸４５が取付けベース４７に設けた軸受部４８に支承されて光ケーブルＡのケーブル径に合った形態で強力に挟持できるようになっている。（図１２）
【００３２】
さらに、本発明で用いられる前記中間スリーブ１２には、図１３に示すように前記上下スリーブ１１，１３の開口端縁近傍に間隔を開けてそれぞれ設けたけたアーム受部２０にバックルアーム２１を揺動自在に設け、該バックルアーム２１の一端にバックルレバー２２を有するバックルによってバックルレバー２２の作用点ｃを中間スリーブ１２の上下面に被せた上スリーブ１１と下スリーブ１３とに形成した係止部２３に係脱して上スリーブ１１と下スリーブ１３とを中間スリーブ１２に連結・開放が自在に行えるように構成したことで、筒状スリーブ１０の組込みセットが容易に行え、中間スリーブ１２を取り出して配線作業等迅速にできその取扱を簡便確実化できる構成とするのが好ましい。
【００３３】
前記光ケーブル心線収容用品４を取付支持する取付具１４としては、必要に応じてフレーム１４４  を設けた取り付け用バー１４５  であって、前記光ケーブル心線収納ケース４１  を設置する取り付け用バー１４５  と、該バー１４５  に摺動自在に装備した平板状のストッパ１４６  とからなり光ケーブル心線収納ケース４１  の収容枚数に応じてストッパ１４６  を前記バー１４５  に沿ってスライドして整列保持させる構成としたことで必要な枚数を筒状スリーブ１０内に適切に配備することができる。（図１４）
【００３４】
なお、ストッパ１４６  は光ケーブル心線収納ケース４１  を図１４ｂおよび図１４ｃのようなリング状の取り付け用バー１４５  或いは水平方向に平行して対設したレール状の取り付け用バー１４５  に差し込み支持してバー１４５  上にスライドできるように摺動自在に用いられ設置枚数に合わせてスライド調整するが、光ケーブル心線収納ケース４１  の取付片１４３  の軸受穴１４２  を差し込み挿入して保持した複数例えば、搭載数最大６５枚（３２５接続部）＋浸水検知モジュールケース収納可能のものの光ケーブル心線収納ケース４１  を放射状或いは並列状に配列して嵌脱自在に差し込み取付けて固定状態で用いられる。
この場合、前記ストッパ１４６  には、リング状のバー１４５  或いは水平方向に平行して対設したレール状のバー１４５  に着脱自在に嵌合できる係合部４９，５０を併設してストッパ１４６  の一対をバー１４５  に沿ってスライドできるようにし、光ケーブル心線収納ケース４１  の設置枚数の少ない時は一対のストッパ１４６  の間に光ケーブル心線収納ケース４１  を挟み込む形態か、或いは水平方向に配列した一対のバー１４５  にそれぞれ取り付けたバー１４５  と該バー１４５  の一方側に上方に立ち上げ突設した板状のフレーム１４４  との間に挟み込み介在保持し、作業の際にはストッパ１４６  を移動して光ケーブル心線収納ケース４１  を挟む間を調節して光ケーブル心線収納ケース４１  の取り出し或いは開き具合いの作業がしやすいようにするのがよい。（図１４ａ）
【００３５】
本発明における光ケーブル接続用クロージャの第２実施例は、図１５〜図１７に示すように狭い設備エリアに配置しなければならない際にコンパクト化するため上下方向の出っ張りを少なくする偏平状の角筒形の筒状スリーブ１０として中間スリーブ１２の上下面に高さの低い薄型の上下スリーブ１１、１３が着脱自在にバックル５によって連結されてサイズＳ型としているが、筒状スリーブ１０内に装備される前記光ケーブル心線収容用品４は、長方形の二つ折り或いは片面収容の心線収納ケース４１  の上縁或いは下縁の両端に軸受穴１４２  のある取付片１４３  を突設し、倒れ防止機能を持たせるようにする構成のものを用いて、さらに水平方向に平行して対設したレール状のバー１４５  のある取付具１４に縦方向に配列装備し、搭載数最大２４枚（１２０接続部）＋浸水検知モジュールケース収納可能のものとして用いられる。      
なお、前記光ケーブル心線収納ケース４１  は、その上流側および下流側の光ケーブル心線を導入する光ケーブル心線導入部１が一対左右に並設され、該光ケーブル心線導入部１から入る光ケーブル心線と分岐光ケーブル心線の心線各端部が互いに接続される光ケーブル接続部、例えばスプライス或いはコネクタと、光ケーブル心線余長とを収納するポケットを備えた光ケーブル心線収納ケー４１  の複数枚で光ケーブル心線収容用品４として内装することができるので、心線の絡み合いがなく整然と処理できて接続配線取扱いも著しく簡便化でき、配線工事の適正化に役立って処理できるものであり、クロージャ内に光ケーブル心線収納ケースを上から差し込むことで組み込みすることができるので、作業の際に上スリーブの開閉のみでするパターンが増え施工性が大幅に向上することができる。
【００３６】
図１８〜図２６に示す第３実施例では、前記第１実施例或いは第２実施例と同様に筒状スリーブ１０の両端に光ケーブルＡを挿通する複数の光ケーブル挿通孔６と、該光ケーブル挿通孔６に対設され、かつ光ケーブルＡを嵌挿把持する挿通部７のある光ケーブル把持具８とを備えた光ケーブル接続用クロージャであって、前記筒状スリーブ１０が、上下方向に水平面で分割しうる上スリーブ１１と、中間スリーブ１２と、下スリーブ１３との３分割のスリーブからなり、各スリーブ１１，１２，１３の突き合わせ接合面にガスケット９を設けて各接合面がガスケット９を介して高密度に当接一体化できるようにすると共に、前記中間スリーブ１２の両端に主光ケーブル挿通孔６１  と複数の分岐光ケーブル挿通孔６２  とを備え、各光ケーブル挿通孔６に対設して光ケーブル把持具８とテンションメンバ固定具８１  とを設け、さらに中間スリーブ１２内に円筒形或いは角筒形に光ケーブル心線収納ケース４１  を配列する前記光ケーブル心線収容用品４を取付支持する取付具１４を装備し前記光ケーブル心線収容用品４に浸水検知モジュール１５を配備して筒状スリーブ１０内に浸水した際の排水作業も簡単的確にできクロージャの安全性と管理上の信頼性を一層高めたものである。（図１８〜図１９）
【００３７】
また、前記光ケーブル心線収納ケース４１  としては、プラスチックシートからなり、図２０に示すように両側縁に折り曲げ線で蓋片４２  と心線押え片４３  とをそれぞれ開閉自在に設けて表裏両面に光ケーブル心線余長と光ケーブル心線接部ｂを収納できる両面構造の光ケーブル心線収納ケース４１  として用いてあるが、断面四角形或いは三角形の匡型に折り曲げ倒れ防止機能を持たせるようにするのがよいが、図２１の如く、プラスチックシートを折り曲げ線で二つ折りにして一つのポケット部を形成して光ケーブル心線余長収納部２と心線接続部収納部３とすると共に、一端縁を突き合わせ縁として開閉自在の光ケーブル心線収納ケース４１  として用いるようにしてもよい。
【００３８】
さらに、前記中間スリーブ１２が、光ケーブル挿通孔６を横並びに配備したものであって、主光ケーブル挿通孔６１  の片側あるいは両側に複数或いは単数の分岐光ケーブル挿通孔６２  間隔を置いて配備し、前記主光ケーブル挿通孔６１  に主光ケーブルを適用シールを取り付けたシールスペーサ１６を介して着脱自在のキャツプ１７で装着したことにより、外被際から収納用品間の配線がすっきりして乱雑にならず配線を目で追いやすく確認作業も的確で、点検や接続作業での取扱をも安全で簡単に処理でき、光ケーブルの固定をも簡便で安全にし組立作業性を大幅に向上できるようにする。（図２２参照）
【００３９】
また、前記中間スリーブ１２としては、左右の各光ケーブル把持具８のアースの導通を確保するアース連結板１８を備え、該アース連結板１８の接触部にバネ機能部１８１  を有する光ケーブル把持具８を挿入してバネ機能部１８１  を光ケーブル把持具８の凹溝１９に係止して抜け止め構造としたことで反対側の光ケーブル把持具８との導通ができ、中間スリーブ１２と接してアース連結板１８自体の抜け止めとなって組立構成の簡便化が図れるようにするのがよい。（図２３参照）
【００４０】
さらに、本発明での前記中間スリーブ１２には、図１３に示すように前記上下スリーブ１１，１３の開口端縁近傍に間隔を開けてそれぞれ設けたけたアーム受部２０にバックルアーム２１を揺動自在に設け、該バックルアーム２１の一端にバックルレバー２２を有するバックルによってバックルレバー２２の作用点ｃを中間スリーブ１２の上下面に被せた上スリーブ１１と下スリーブ１３とに形成した係止部２３に係脱して上スリーブ１１と下スリーブ１３とを中間スリーブ１２に連結・開放が自在に行えるように構成したことで、筒状スリーブ１０の組込みセットが容易に行え、中間スリーブ１２を取り出して配線作業等迅速にできその取扱を簡便確実化できる構成とするのが好ましい。
【００４１】
前記筒状スリーブ１０内には、図２４に示すように設備情報の読取および更新が可能のＲＦＩＤ２４を配備し、該ＲＦＩＤ２４に対向する上スリーブ１１の外面に刻印による目印の表示部２５を設けていると共に、光ケーブル心線収納ケース４１  に心線余長が直接容易に差し込まれて整理したり、収納ケースから引き出して開閉して心線余長の出し入れができるようにしてある。  
この場合、前記光ケーブル心線収納ケース４１  の表裏面に心線余長収納ポケットとなる空間を利用して、光ケーブル心線余長を一括して巻回または弛ませて収納する心線余長収納部２と、光ケーブル接続部ｂの心線接続部収納部３とを形成し、光ケーブル心線導入口１に連通するようにするのがよい。（図２０参照）
【００４２】
また、前記光ケーブル把持具８に備えられるテンションメンバ把持具２６では、図２５に示すようにスライド構造の場合（図２５ａ）には、テンションメンバｄを本体の挿入溝２７へ挿入して蓋２８をスライドしてテンションメンバｄを覆ったのちネジ２９を締めて固定し固定したり、ヒンジ構造の場合（図２５ｂ）にはテンションメンバｄを本体の挿入溝２７へ挿入して蓋２８を閉じて、蓋を固定するネジ２９を固定したのちテンションメンバｄを固定するネジ２９を締めつけて固定するようにするのがよい。
【００４３】
以上の構成からなる筒状スリーブ１０の光ケーブル挿入孔６から入る光ケーブルＡは光ケーブル把持具８の係止部材で挟持された状態で、光ケーブル心線ａとして光ケーブル心線収容用品４の光ケーブル心線収納ケース４１  において、光ケーブル導入口１に嵌挿されて配線され、心線余長は心線余長収納部２に輪取りしまたは略Ｕ字形に弛ませて収納するし、光ケーブル心線接続部ｂは心線接続部収納部３に収納する。そして下部延ばし（下流側心線分岐）の場合、光ケーブル心線収納ケース４１  から心線を取り出して中点において切断し、切断した主ケーブルと分岐光ケーブルの心線とをメカニカルスプライスの光ケーブル接続部ｂ使用することによって接続したのち、該光ケーブル接続部ｂを光ケーブル心線収納ケース４１  の心線接続部収納部３に嵌合固定し、上流側および下流側の心線余長を心線余長収納部２に輪取りしまたは略Ｕ字形に弛ませて収納すればよい。なお、接続余長の取り出しには光ケーブル心線収容用品４の光ケーブル心線収納ケース４１  を引出して心線を取り出して接続処理作業をすればよい。
【００４４】
そして、心線が光ケーブル心線収納ケース４１  に擦れることが防ぎ得て、引張衝撃などをも確実に防止することができ、安全な配線ができるほか、光信号損失がなく配線接続作業を行うことができ、配線工事工数も少なく簡単な操作でケーブル固定が確実にでき、安全性を高め信頼性のある光ケーブル接続が可能となるし、光ケーブルの各端部が相互に接続されるコネクタが確実に接続維持でき、特に通信線接続不良が生じないように接続維持できて配線管理の安全性を高められ、組立作業の信頼性もあるし、配線工事の適正化に役立って接続作業性をも大幅に向上することができる。
【００４５】
本発明における光ケーブル接続用クロージャは、図２６に示すようにコンパクト化するため筺型を偏平状の角筒形の筒状スリーブ１０として中間スリーブ１２の上下面に蓋型の上下スリーブ１１、１３が着脱自在にバックル５によって連結されているが、中央部に主光ケーブル挿入孔６１  を配し、その両側に分岐光ケーブル挿入孔６２  を配した筒状スリーブ１０内に装備される前記光ケーブル心線収容用品４は、図２０或いは図２１に示す長方形の二つ折りの心線収納ケース４１  の上縁或いは下縁の両端に軸受穴１４２  のある取付片１４３  を突設し、倒れ防止機能を持たせるようにする構成のものを用いて軸杆のある取付具１４に装備し、搭載数最大２５枚（２５０接続部）＋浸水検知モジュールケース収納可能のものとして用いられる。
これら前記光ケーブル心線収納ケース４１  は、その上流側および下流側の光ケーブルを導入する光ケーブル心線導入部１が一対左右に並設され、該光ケーブル心線導入部１から入る光ケーブル心線と分岐光ケーブル心線の心線各端部が互いに接続される光ケーブル接続部、例えばスプライス或いはコネクタと、光ケーブル心線余長とを収納するポケットを備えた光ケーブル心線収納ケー４１  の複数枚で光ケーブル心線収容用品４として内装することができるので、心線の絡み合いがなく整然と処理できて接続配線取扱いも著しく簡便化でき、配線工事の適正化に役立って処理できるものである。
【００４６】
なお、本発明における光ケーブル接続用クロージャの各実施例では、上下方向に水平面で分割しうる突き合わせ接合面を備えたスリーブ形態例で説明したが、左右方向に縦面で分割しうる突き合わせ接合面を備えたスリーブ形態例のクロージャとして用いる場合にも適用できる。
【符号の説明】
【００４７】
Ａ      光ケーブル                                                          
ａ      光ケーブル心線                                                      
ｂ      光ケーブル接続部                                                    
ｃ      作用点                                                              
ｄ      テンションメンバ                                                    
１      光ケーブル心線導入部                                                
２      心線余長収納部                                                      
３      心線接続収納部                                                      
４      光ケーブル心線収容用品                                              
４１      光ケーブル心線収納ケース                                            
４２      蓋片                                                                
４３      心線押え片                                                          
５      バックル                                                            
６      光ケーブル挿入孔                                                    
６１      主光ケーブル挿入孔                                                  
６２      分岐光ケーブル挿入孔                                                
７      挿通部                                                              
８１      テンションメンバ固定具                                              
９      ガスケット                                                          
１０      筒状スリーブ                                                        
１１      上スリーブ                                                          
１２      中間スリーブ                                                        
１３      下スリーブ                                                          
１４      取付具                                                              
１４１      つまみ片                                                            
１４２      軸受穴                                                              
１４３      取付片                                                              
１４４      フレーム                                                            
１４５      バー                                                                
１４６      ストッパ                                                            
１５      浸水検知モジュール                                                  
１６      シールスペーサ                                                      
１７      キャップ                                                            
１８      アース連結板                                                        
１８１      バネ機能部                                                          
１９      凹溝                                                                
２０      アーム受部                                                          
２１      バックルアーム                                                      
２２      バックルレバー                                                      
２３      係止部                                                              
２４      ＲＦＩＤ                                                            
２５      表示部                                                              
２６      テンションメンバ把持具                                              
２７      挿入溝                                                              
２８      蓋                                                                  
２９      ネジ                                                                
３０      端面板                                                              
３１      ポートケース                                                        
３１１      突き合わせ面                                                        
３２      ポケット                                                            
３３      ヒンジ部                                                            
３４      閉塞栓                                                              
３５      シールゴム                                                          
３５１      スリット                                                            
３６      合せ目シール                                                        
３６１      取付片                                                              
３７      保持片                                                              
３８      ネジ                                                                
３９      取付孔                                                              
４０      シールキャツプ                                                      
４０１      内筒                                                                
４０２      フランジ                                                            
４０３      ボス                                                                
４０４      ボス穴                                                              
４１      締付片                                                              
４２      取付孔                                                              
４３      係合部材                                                            
４４      把持片                                                              
４５      支軸                                                                
４６      締付子                                                              
４７      ベース                                                              
４８      軸受部                                                              
４９      係合部                                                              
５０      係合部                                                              
【図１】
2010169969.tif 000003
【図２】
2010169969.tif 000004
【図３】
2010169969.tif 000005
【図４】
2010169969.tif 000006
【図５】
2010169969.tif 000007
【図６】
2010169969.tif 000008
【図７】
2010169969.tif 000009
【図８】
2010169969.tif 000010
【図９】
2010169969.tif 000011
【図１０】
2010169969.tif 000012
【図１１】
2010169969.tif 000013
【図１２】
2010169969.tif 000014
【図１３】
2010169969.tif 000015
【図１４】
2010169969.tif 000016
【図１５】
2010169969.tif 000017
【図１６】
2010169969.tif 000018
【図１７】
2010169969.tif 000019
【図１８】
2010169969.tif 000020
【図１９】
2010169969.tif 000021
【図２０】
2010169969.tif 000022
【図２１】
2010169969.tif 000023
【図２２】
2010169969.tif 000024
【図２３】
2010169969.tif 000025
【図２４】
2010169969.tif 000026
【図２５】
2010169969.tif 000027
【図２６】
2010169969.tif 000028